(57)【要約】【課題】従来のパネル工法の延長で構成されているにも拘らず、建築確認申請に対応できる構造が得られるようにした防音エンクロージャ及びその構築方法を提供する。【解決手段】第１の連結部材４０を備えた壁パネル１６を多数準備し、第１の連結部材４０を付き合わせ状態に配置し、第１の連結部材４０の張出部４０ｂ同士を固着して隣接する壁パネル１６同士を連結して壁面部を構築する工程と、第２の連結部材３３を備えた屋根パネル１５を多数準備し、第２の連結部材３３を付き合わせ状態に配置し、第２の連結部材３３の張出部３３ｂ同士を固着して隣接する屋根パネル１５同士を連結して屋根部を構築する工程と、第２の連結部材３３における張出部３３ｂの長手方向両端部と、その両端部を支持固定する第１の連結部材４０における張出部４０ｂの上端部４４ｂ１を連結金具５２により固定して、屋根パネル１５を壁パネル１６で支持固定する工程とを含む。【選択図】  図１２
2008144554.tif 000002
【特許請求の範囲】
【請求項１】
発電装置の周囲を囲むように配設された基礎土台上に立設される壁面部と、壁面部の上端部に支持固定される屋根部とを備えた構造の防音エンクロージャの構築方法であって、
内部に吸音材が充填されると共に、一方の表面が多数の吸音孔を有する孔開き鋼板で構成され、他方の表面が吸音孔を有さない鋼板で構成され、両側部にはそれぞれ側部を覆い且つ側部周縁から外方に張り出した張出部を有する第１の連結部材を備えた壁パネルを多数準備し、壁パネル同士を前記一方の表面が屋内側に他方の表面が屋外側に向くようにして前記基礎土台上に起立させ且つ第１の連結部材を付き合わせ状態となるように配置し、この状態で第１の連結部材の張出部同士を固着して隣接する壁パネル同士を連結し、このような壁パネル同士の連結を繰り返して、防音エンクロージャの壁面部を構築する工程と、
内部に吸音材が充填されると共に、一方の表面が多数の吸音孔を有する孔開き鋼板で構成され、他方の表面が吸音孔を有さない鋼板で構成され、両側部にはそれぞれ側部を覆い且つ側部周縁から外方に張り出した張出部を有する第２の連結部材を備えた屋根パネルを多数準備し、屋根パネル同士を前記一方の表面が屋内側に他方の表面が屋外側に向くようにして横に並べ且つ第２の連結部材を付き合わせ状態となるように配置し、この状態で第２の連結部材の張出部同士を固着して隣接する屋根パネル同士を連結し、このような屋根パネル同士の連結を繰り返して防音エンクロージャの屋根部を構築する工程と、
第２の連結部材における張出部の長手方向両端部と、その両端部をそれぞれ支持固定するための第１の連結部材における張出部の上端部とを連結金具により連結固定することにより、屋根パネルの両端部をそれぞれ壁パネルで支持固定する工程と、
を含むことを特徴とする防音エンクロージャの構築方法。
【請求項２】
前記第１の連結部材は壁パネルの側部開口を閉塞する蓋板を兼ね、前記第２の連結部材は屋根パネルの側部開口を閉塞する蓋板を兼ねることを特徴とする請求項１記載の防音エンクロージャの構築方法。
【請求項３】
前記壁パネルは側部開口を閉塞する蓋板を備え、この壁パネルの蓋板に前記第１の連結部材が取り付けられており、
前記屋根パネルは側部開口を閉塞する蓋板を備え、この屋根パネルの蓋板に前記第２の連結部材が取り付けられていることを特徴とする請求項１記載の防音エンクロージャの構築方法。
【請求項４】
前記基礎土台上に予め架台を固定しておき、壁パネルを載置板に載せて、この状態で載置板と架台とを固定すると共に、第１の連結部材における張出部の下端部を架台に固定して、壁パネルを基礎土台上に固定する工程と、
を含むことを特徴とする請求項１〜３の何れかに記載の防音エンクロージャの構築方法。
【請求項５】
発電装置の周囲を囲むように配設された基礎土台上に立設される壁面部と、壁面部の上端部に支持固定される屋根部とを備えた構造の防音エンクロージャであって、
前記壁面部は多数の壁パネルから構成されており、各壁パネルは内部に吸音材が充填されると共に、屋内側表面が多数の吸音孔を有する孔開き鋼板で構成され、屋外側表面が吸音孔を有さない鋼板で構成され、両側部にはそれぞれ側部を覆い且つ側部周縁から外方に張り出した張出部を有する第１の連結部材を備えた構造とされ、隣接する壁パネル同士は第１の連結部材の張出部同士の連結により固定されており、
前記屋根部は多数の屋根パネルから構成されており、各屋根パネルは内部に吸音材が充填されると共に、屋内側表面が多数の吸音孔を有する孔開き鋼板で構成され、屋外側表面が吸音孔を有さない鋼板で構成され、両側部にはそれぞれ側部を覆い且つ側部周縁から外方に張り出した張出部を有する第２の連結部材を備えた構造とされ、隣接する屋根パネル同士は第２の連結部材の張出部同士の連結により固定されており、
前記第２の連結部材における張出部の長手方向両端部がそれぞれ対応する第１の連結部材における張出部の上端部と連結金具を介して固定されることにより、屋根パネルと対応する壁パネルとが連結固定されていることを特徴とする防音エンクロージャ。
【請求項６】
前記第１の連結部材は壁パネルの側部開口を閉塞する蓋板を兼ね、前記第２の連結部材は屋根パネルの側部開口を閉塞する蓋板を兼ねることを特徴とする請求項５記載の防音エンクロージャ。
【請求項７】
前記壁パネルは側部開口を閉塞する蓋板を備え、この壁パネルの蓋板に前記第１の連結部材が取り付けられており、
前記屋根パネルは側部開口を閉塞する蓋板を備え、この屋根パネルの蓋板に前記第２の連結部材が取り付けられていることを特徴とする請求項５記載の防音エンクロージャ。
【請求項８】
基礎土台に架台が固定されており、この架台上に壁パネルが載置される載置板が固定されている共に、第１の連結部材における張出部の下端部が架台に固定されていることを特徴とする請求項５〜７の何れかに記載の防音エンクロージャ。
【発明の詳細な説明】
【技術分野】
【０００１】
本発明は、発電装置の周囲を覆う防音エンクロージャ及び防音エンクロージャの構築方法に関する。
【背景技術】
【０００２】
近年、大型の病院やショッピングセンタ等では、自家発電や非常用電源として、発電装置を設置することが行われている。このような発電装置は、屋外に設置される場合が多く、そのため、発電装置の防水対策が必要となる。また、発電装置の駆動時にはエンジン等の騒音が発生することから、防音対策が必要となる。そこで、発電装置を防音エンクロージャで覆い、防音のみならず防水の対策が施されている（例えば、特許文献１参照）。
このような防音エンクロージャは、本来的には建屋ではなく、鋼板製の防音カバーという位置付けである。従って、建築確認申請を要しない。但し、建築確認が承認され得るに充分な強度を備えた構造となっている。ところが、大型の防音エンクロージャのような場合、防音カバーではなく建屋であると解釈される余地がある。そこで、建築確認申請を行う場合が想定される。
【０００３】
【特許文献１】特開２００４−３５３４６１号公報
【発明の開示】
【発明が解決しようとする課題】
【０００４】
ここで、建築確認申請を行う場合の通常の手続として構造計算書を添付することが要請される。この構造計算書の作成に当たっては、鉄骨にパネルを敷設する一般的な鉄骨構造体においては鉄骨が強度部材となるので、建築構造計算用のプログラムに基づいて構造計算を算出することができる。ところが、防音エンクロージャは、鉄骨（柱）のないパネル工法により構築されているので、建築構造計算用のプログラムに基づいて算出することが困難である。
【０００５】
本発明は、上記の実情を鑑みて考え出されたものであり、その目的は、従来のパネル工法の延長で構成されているにも拘らず、建築確認申請に対応できる構造が得られるようにした防音エンクロージャ及び防音エンクロージャの構築方法を提供することである。
【課題を解決するための手段】
【０００６】
本発明者等は、従来のパネル工法の延長で構成されているが、パネル構造の組立方法に工夫を凝らし、建築確認申請に対応できる構築方法を見出した。具体的には以下の通りである。
【０００７】
本発明のうち請求項１記載の発明は、発電装置の周囲を囲むように配設された基礎土台上に立設される壁面部と、壁面部の上端部に支持固定される屋根部とを備えた構造の防音エンクロージャの構築方法であって、内部に吸音材が充填されると共に、一方の表面が多数の吸音孔を有する孔開き鋼板で構成され、他方の表面が吸音孔を有さない鋼板で構成され、両側部にはそれぞれ側部を覆い且つ側部周縁から外方に張り出した張出部を有する第１の連結部材を備えた壁パネルを多数準備し、壁パネル同士を前記一方の表面が屋内側に他方の表面が屋外側に向くようにして前記基礎土台上に起立させ且つ第１の連結部材を付き合わせ状態となるように配置し、この状態で第１の連結部材の張出部同士を固着して隣接する壁パネル同士を連結し、このような壁パネル同士の連結を繰り返して、防音エンクロージャの壁面部を構築する工程と、内部に吸音材が充填されると共に、一方の表面が多数の吸音孔を有する孔開き鋼板で構成され、他方の表面が吸音孔を有さない鋼板で構成され、両側部にはそれぞれ側部を覆い且つ側部周縁から外方に張り出した張出部を有する第２の連結部材を備えた屋根パネルを多数準備し、屋根パネル同士を前記一方の表面が屋内側に他方の表面が屋外側に向くようにして横に並べ且つ第２の連結部材を付き合わせ状態となるように配置し、この状態で第２の連結部材の張出部同士を固着して隣接する屋根パネル同士を連結し、このような屋根パネル同士の連結を繰り返して防音エンクロージャの屋根部を構築する工程と、第２の連結部材における張出部の長手方向両端部と、その両端部をそれぞれ支持固定するための第１の連結部材における張出部の上端部とを連結金具により連結固定することにより、屋根パネルの両端部をそれぞれ壁パネルで支持固定する工程と、を含むことを特徴とする。
【０００８】
上記の構築方法であれば、建築確認申請に対応できる構造が得られる。なぜなら、本発明における第１の連結部材及び第２の連結部材が一般的な鉄骨構造体における鉄骨に相当すると看做すことができる。従って、建築構造計算用のプログラムに基づいて構造計算を算出することが可能となり、建築確認申請に対応できることになるからである。加えて、上記の構築方法であれば、防音エンクロージャを現地で容易に構築することが可能となる。
【０００９】
また、請求項２記載の発明は、請求項１記載の防音エンクロージャの構築方法であって、前記第１の連結部材は壁パネルの側部開口を閉塞する蓋板を兼ね、前記第２の連結部材は屋根パネルの側部開口を閉塞する蓋板を兼ねることを特徴とする。
【００１０】
上記の如く、第１の連結部材及び第２の連結部材がそれぞれ蓋板を兼ねることにより、部材点数を削減することができ、製造コストの低減を図ることができる。
【００１１】
また、請求項３記載の発明は、請求項１記載の防音エンクロージャの構築方法であって、前記壁パネルは側部開口を閉塞する蓋板を備え、この壁パネルの蓋板に前記第１の連結部材が取り付けられており、前記屋根パネルは側部開口を閉塞する蓋板を備え、この屋根パネルの蓋板に前記第２の連結部材が取り付けられていることを特徴とする。
【００１２】
上記の如く、第１の連結部材及び第２の連結部材がそれぞれ蓋板に取り付けられ構成であれば、第１の連結部材及び第２の連結部材に蓋板を加えた全体が般的な鉄骨構造体における鉄骨に相当すると看做すことができる。従って、パネル組立構造全体の強度がアップする。
【００１３】
また、請求項４記載の発明は、請求項１〜３の何れかに記載の防音エンクロージャの構築方法であって、前記基礎土台上に予め架台を固定しておき、壁パネルを載置板に載せて、この状態で載置板と架台とを固定すると共に、第１の連結部材における張出部の下端部を架台に固定して、壁パネルを基礎土台上に固定する工程を含むことを特徴とする。
【００１４】
上記構成により、壁パネルを基礎土台上に強固に固定することができると共に、固定作業が容易となる。
【００１５】
また、請求項５記載の発明は、発電装置の周囲を囲むように配設された基礎土台上に立設される壁面部と、壁面部の上端部に支持固定される屋根部とを備えた構造の防音エンクロージャであって、前記壁面部は多数の壁パネルから構成されており、各壁パネルは内部に吸音材が充填されると共に、屋内側表面が多数の吸音孔を有する孔開き鋼板で構成され、屋外側表面が吸音孔を有さない鋼板で構成され、両側部にはそれぞれ側部を覆い且つ側部周縁から外方に張り出した張出部を有する第１の連結部材を備えた構造とされ、隣接する壁パネル同士は第１の連結部材の張出部同士の連結により固定されており、前記屋根部は多数の屋根パネルから構成されており、各屋根パネルは内部に吸音材が充填されると共に、屋内側表面が多数の吸音孔を有する孔開き鋼板で構成され、屋外側表面が吸音孔を有さない鋼板で構成され、両側部にはそれぞれ側部を覆い且つ側部周縁から外方に張り出した張出部を有する第２の連結部材を備えた構造とされ、隣接する屋根パネル同士は第２の連結部材の張出部同士の連結により固定されており、前記第２の連結部材における張出部の長手方向両端部がそれぞれ対応する第１の連結部材における張出部の上端部と連結金具を介して固定されることにより、屋根パネルと対応する壁パネルとが連結固定されていることを特徴とする。
【００１６】
上記構成により、建築構造計算用のプログラムに基づいて構造計算を算出することが可能な防音エンクロージャの構造が得られ、建築確認申請に対応できることになる。
【００１７】
また、請求項６記載の発明は、請求項５記載の防音エンクロージャであって、前記第１の連結部材は壁パネルの側部開口を閉塞する蓋板を兼ね、前記第２の連結部材は屋根パネルの側部開口を閉塞する蓋板を兼ねることを特徴とする。
【００１８】
上記の如く、第１の連結部材及び第２の連結部材がそれぞれ蓋板を兼ねる構成により、部材点数を削減することができ、製造コストの低減を図ることができる防音エンクロージャを実現することができる。
【００１９】
また、請求項７記載の発明は、請求項５記載の防音エンクロージャであって、前記壁パネルは側部開口を閉塞する蓋板を備え、この壁パネルの蓋板に前記第１の連結部材が取り付けられており、前記屋根パネルは側部開口を閉塞する蓋板を備え、この屋根パネルの蓋板に前記第２の連結部材が取り付けられていることを特徴とする。
【００２０】
上記の如く、第１の連結部材及び第２の連結部材がそれぞれ蓋板に取り付けられ構成であれば、第１の連結部材及び第２の連結部材に蓋板を加えた全体が般的な鉄骨構造体における鉄骨に相当すると看做すことができる。従って、パネル組立構造全体の強度がアップした防音エンクロージャを実現することができる。
【００２１】
また、請求項８記載の発明は、請求項５〜７の何れかに記載の防音エンクロージャであって、基礎土台に架台が固定されており、この架台上に壁パネルが載置される載置板が固定されている共に、第１の連結部材における張出部の下端部が架台に固定されていることを特徴とする。
【００２２】
上記構成により、壁パネルが基礎土台上に強固に固定された防音エンクロージャを実現することができる。
【発明の効果】
【００２３】
本発明によれば、第１の連結部材及び第２の連結部材が一般的な鉄骨構造体における鉄骨に相当すると看做すことができるので、建築構造計算用のプログラムに基づいて構造計算を算出することが可能となり、建築確認申請に対応できる防音エンクロージャを構築できる。
【発明を実施するための最良の形態】
【００２４】
以下、本発明を実施の形態に基づいて詳述する。なお、本発明は、以下の実施の形態に限定されるものではない。
【００２５】
（実施の形態）
図１は実施の形態に係る防音エンクロージャの斜め前方から見た斜視図、図２は実施の形態に係る防音エンクロージャの斜め後方から見た斜視図、図３は実施の形態に係る防音エンクロージャの正面図、図４は実施の形態に係る防音エンクロージャの背面図、図５は実施の形態に係る防音エンクロージャの横断面図、図６は実施の形態に係る防音エンクロージャの縦断面図である。
【００２６】
本実施の形態に係る防音エンクロージャ１は、発電装置２（図５及び図６参照）の周囲を覆って防音及び防水の役割を果たしている。発電装置２は、基礎となるコンクリート製の台板１１（図５参照）上に設置されており、発電機３と、該発電機３を駆動するエンジン４とから成る（図５及び図６参照）。なお、エンジン４はレシプロエンジンであってもよく、また、ロータリエンジンであってもよい。また、図５及び図６に示すように、防音エンクロージャ１内には、その他の付属機器、例えば、燃料ガス昇圧機５、熱回収及び空気ユニット６、冷却水及び暖気ユニット７、潤滑油供給ユニット８、配管ブロック９等が備えられている。これらの機器の役割を簡単に説明すると、燃料ガス昇圧機５は防音エンクロージャ１外より供給される燃料ガスをエンジン内（シリンダ内）に送り込むために圧力を上げる機器である。熱回収及び空気ユニット６は、エンジン冷却水、潤滑油を冷却し、その熱を回収するユニットである。冷却水及び暖気ユニット７は、冷却水をエンジンに供給するユニットである。潤滑油供給ユニット８は、エンジン潤滑油をエンジンに供給するユニットである。配管ブロック９は、エンジン本体と補機（上記機器）ユニットを接続するための配管をユニット化したものである。更に、防音エンクロージャ１内には、エンジンの燃焼用空気もしくは冷却用空気を外部から取り込むための複数（本実施の形態では６個、図５及び図６参照）の送風機１０が設置されている。
【００２７】
防音エンクロージャ１は、図１及び図２に示すように、下方が開口した大略的に直方体状に形成されている。この防音エンクロージャ１は、発電装置２及び付属機器（燃料ガス昇圧機５、熱回収及び空気ユニット６等）周囲を囲む基礎土台であるコンクリート製の腰壁１２上に立設される壁面部１Ａ（図１参照）と、壁面部１Ａの上端部に支持固定される屋根部１Ｂとから構成されている。壁面部１Ａは、一対の側壁部１ａ，１ｂと前面部１ｃと背面部１ｄとから構成されている。屋根部１Ｂは、中央部が両側部より僅かに突出した傾斜面となっている。これにより、屋根部１Ｂに落ちた雨水は両側部側に向けて流下するようになっている。この屋根部１Ｂは、正面視が長方形の複数の屋根パネル１５が連接して横設されて構成され、一対の側壁部１ａ，１ｂは正面視が長方形の複数の壁パネル１６が連接して立設されて構成されている。
【００２８】
また、防音エンクロージャ１の前面部１ｃには、図５に示すように、壁パネル１６が設けられておらず、開口を有する構造とされ、該開口が吸気口１９を構成する。そして、この吸気口１９に複数の縦型防音ガラリ２０が装着されている。本実施の形態では、縦型防音ガラリ２０は、上下２段組となって装着されている（図３参照）。また、同様に、防音エンクロージャ１の背面部１ｄには、図５に示すように、壁パネル１６が設けられておらず、開口を有する構造とされ、該開口が排気口２１を構成する。そして、この排気口２１に横型防音ガラリ２２が装着されている。本実施の形態では、横型防音ガラリ２２は上下２段組が左右に４組装着されている（図４参照）。
【００２９】
次いで、防音エンクロージャ１の構造を更に詳細に説明する。
図７は屋根パネルの長辺方向に平行な切断線により切断した断面図、図８は屋根パネルの短辺方向に平行な切断線により切断した断面図、図９は壁パネルの短辺方向に平行な切断線により切断した断面図、図１０は壁パネルの長辺方向に平行な切断線により切断した断面図、図１１は隣接する屋根パネルが隣接する壁パネルに支持固定されている状態を示す斜視図、図１２は隣接する屋根パネルが隣接する壁パネルに支持固定されている状態を示す分解斜視図、図１３は屋根パネルと壁パネルの連結付近の断面図である。
【００３０】
屋根部１Ｂを構成する屋根パネル１５は、図７及び図８に示すように、屋内側表面１５ａが多数の吸音孔３０を有する孔開き鋼板で構成され、屋外側表面１５ｂが吸音孔３０を有さない鋼板で構成され、且つ、その内部にグラスウール等の吸音材１８が充填されている。屋根パネル１５の長辺方向Ｘ１（図１及び図７参照）両端部にはそれぞれ蓋板３１が取り付けられており、この蓋板３１により屋根パネル１５の長辺方向Ｘ１両端開口３２が閉塞されている。屋根パネル１５の短辺方向Ｙ１（図１及び図８参照）両端部にはそれぞれ蓋板を兼ねる第２の連結部材３３が取り付けられており、この第２の連結部材３３により屋根パネル１５の短辺方向Ｙ１両端開口３４が閉塞されている。この第２の連結部材３３は、屋根パネル１５の短辺方向Ｙ１両端開口３４を閉塞する本体部３３ａと、開口３４の周縁から外方に張り出した張出部３３ｂを有する。この張出部３３ｂの一方の端部（図１１及び図１２の右側端部）は屋根パネル１５の右側の蓋板よりも外方（図１１及び図１２参照）に突出して壁パネル１６との連結用取付部３３ｂ１を構成し、張出部の他方の端部（図示せず）は壁パネル１６の左側の蓋板よりも外方に突出して壁パネル１６との連結用取付部３３ｂ１を構成している。そして、この第２の連結部材３３同士が付き合わされた状態で、第２の連結部材３３の張出部３３ｂ同士が固定されることにより、隣接する屋根パネル１５同士が連結固定されている。
【００３１】
なお、張出部３３ｂの上側端部は内側に折り曲げられている。そして、張出部の内側面には、左右方向に所定の間隔をあけて補強部材５０（図１１及び図１２参照）が固着されている。
【００３２】
壁パネル１６も屋根パネル１５と同様の構成を有しており、図９及び図１０に示すように、屋内側表面１６ａが多数の吸音孔３０を有する孔開き鋼板で構成され、屋外側表面１６ｂが吸音孔３０を有さない鋼板で構成され、且つ、その内部にグラスウール等の吸音材１８が充填されている。壁パネル１６の長辺方向Ｘ２（図１及び図１０参照）両端部にはそれぞれ蓋板３５が取り付けられており、この蓋板３５により壁パネル１６の長辺方向Ｘ２両端開口３６が閉塞されている。壁パネル１６の短辺方向Ｙ２（図１及び図９参照）両端部にはそれぞれ蓋板を兼ねる第１の連結部材４０が取り付けられており、この第１の連結部材４０により壁パネル１６の短辺方向両端開口３６が閉塞されている。この第１の連結部材４０は、壁パネル１６の短辺方向Ｙ２両端開口３６を閉塞する本体部４０ａと、開口３６の周縁から外方に張り出した張出部４０ｂとを有する。この張出部４０ｂの長辺方向Ｘ２に沿った上端部は壁パネル１６の上側の蓋板３５よりも上方に突出して屋根パネル１５との連結用取付部４０ｂ１（図１１及び図１２参照）を構成し、張出部４０ｂの長辺方向Ｘ２に沿った下端部は壁パネル１６の下側の蓋板３５よりも下方に突出して腰壁１２との連結用取付部４０ｂ２（図１１及び図１２参照）を構成している。そして、この第１の連結部材４０同士が付き合わされた状態で、第１の連結部材４０の張出部４０ｂ同士が固定されることにより、隣接する壁パネル１６同士が連結固定されている。
【００３３】
なお、張出部４０ｂの外方側端部（図１１の手前側端部）は内側に折り曲げられている。そして、張出部４０ｂの内側面には、上下方向に所定の間隔をあけて補強部材５１（図１１及び図１２参照）が固着されている。
【００３４】
また、屋根パネル１５と壁パネル１６とは、連結金具５２により連結固定されている。具体的に説明すると、図１３に示すように、連結金具５２の両側面を壁パネル１８の取付部４０ｂ１で挟み込み、更に壁パネル１６の取付部４０ｂ１の外側表面を屋根パネル１５の取付部３３ｂ１で挟み込み、このような状態でボルトによって締結されている。
【００３５】
また、腰壁１２には、図１２に示すように、外側に突出した凸部１２Ａが形成されており、この凸部１２Ａの上面にはアンカーボルト５３が突出されている。腰壁１２上には、Ｉ型鋼から成る架台４１が設けられている。この架台４１には、座板部４２ａと取付部４２ｂとを有する逆Ｔ字状の係止部材４２が備えられている。そして、この係止部材４２の座板部４２ａはボルトによって腰壁１２上に固定されている。また、壁パネル１６は載置板４３に載せられて、この状態で載置板４３が架台４１上に乗載されて固定されている。更に、係止部材４２の取付部４２ａの両側面を隣接する壁パネル１６の取付部４０ｂ２が挟み込み、ボルトによって固定されている。これにより、壁パネル１６が腰壁１２上に強固に固定されている。
【００３６】
次いで、上記構造の防音エンクロージャ１の構築方法について説明する。
先ず、発電装置２の周囲にコンクリートを打設して腰壁１２を設ける。
次いで、腰壁１２上に架台４１を取付ける。具体的には、架台４１の挿通孔５５（図１２参照）にアンカーボルト５３を挿入してナットにより締結すると共に、座板部４２ａの挿通孔５６（図１２参照）にアンカーボルト５３を挿入してナットにより締結する。
【００３７】
次いで、隣接する壁パネル１６同士を、架台４１を介して腰壁１２に立設する。具体的には、隣接する壁パネル１６同士を第１の連結部材４０を付き合わせた状態で載置板４３に載置する。そして、隣接する壁パネル１６が載置された状態の載置板４３を架台４１上に載置すると共に、係止部材４２の取付部４２ｂの両側面を、隣接する壁パネル１６の取付部４０ｂ２で挟み込み、ボルトによって固定する。こうして、隣接する壁パネル１６が架台４１を介して腰壁１２に立設固定される。
【００３８】
次いで、第１の連結部材４０間に、連結金具５２及び挟み板５６を挟み込む。そして、ボルトとナットにより、挟み板５６を介して第１の連結部材４０同士を固定する。これにより、隣接する壁パネル１６同士が連結固定される。
次いで、隣接する屋根パネル１５同士を連結固定すると共に、連結金具５２によって屋根パネル１５と対応する壁パネル１６とを連結固定する。具体的には、隣接する屋根パネル１５同士を第２の連結部材３３を付き合わせた状態とし、且つ壁パネル１６の取付部４０ｂ１の外側表面を屋根パネル１５の取付部３３ｂ１で挟み込む。そして、このような状態で、第２の連結部材３３同士をボルトによって締結して、隣接する屋根パネル１５同士を連結固定すると共に、屋根パネル１５の取付部３３ｂ１と壁パネル１６の取付部４０ｂ１を連結金具５２を介してボルトによって締結して、屋根パネル１５の長辺方向の一方の端部と壁パネル１６の上端部とを連結固定する。
【００３９】
なお、屋根パネル１５の長辺方向の他方の端部に関しても、上記と同様な方法で対応する壁パネル１６と連結金具５２を介して連結固定する。
【００４０】
こうして、隣接する屋根パネル１５同士が連結されると共に、隣接する壁パネル１６同士が連結固定され、更に隣接する壁パネル１６同士は腰壁１２に架台４１を介して立設固定されると共に、屋根パネル１５の長辺方向両端部が対応する壁パネルによって支持固定される。そして、上記方法を繰り返すことにより、防音エンクロージャの屋根部１Ｂ及び屋根部１Ｂを支持する一対の側壁部１ａ，１ｂが構築される。
【００４１】
そして、防音エンクロージャの前面側開口１９に、上下２段となるように縦型防音ガラリ２０を装着する。また、防音エンクロージャの背面側開口２１に、上下２段が左右に４組となるように横型防音ガラリ２２を装着する。
こうして、本実施の形態に係る防音エンクロージャ１を現場において容易に構築することができる。
また、上記工法を用いると、鉄骨（柱）のないパネル工法でありながら、第１の連結部材及び第２の連結部材が一般的な鉄骨構造体における鉄骨に相当すると看做すことができる。従って、建築構造計算用のプログラムに基づいて構造計算を算出することが可能となり、建築確認申請に対応できることになる構造が得られることになる。
【００４２】
（その他の事項）
上記実施の形態では、第１の連結部材及び第２の連結部材はそれぞれ蓋板を兼ねていたけれども、壁パネルの側部開口を閉塞する蓋板と第１の連結部材とを別個に備え、且つ屋根パネルの側部開口を閉塞する蓋板と第２の連結部材とを別個に備えるように構成してもよい。このように構成すれば、第１の連結部材及び第２の連結部材に蓋板を加えた全体が般的な鉄骨構造体における鉄骨に相当すると看做すことができる。従って、パネル組立構造全体の強度がアップする。
【００４３】
上記実施の形態では、防音エンクロージャの前面部及び背面部には壁パネルを設けず、全て防音ガラリを装着する構成であったけれども、前面部及び背面部の一部を壁パネルで構成して、残余の領域に防音ガラリを装着するような構成であってもよい。
【００４４】
上記実施の形態では、防音エンクロージャの吸気口に縦型防音ガラリを設け、排気口に横型防音ガラリを設けたけれども、本発明はこれに限定されず、吸気口及び排気口共に縦型防音ガラリを設けるようにしてもよく、また吸気口及び排気口共に横型防音ガラリを設けるようにしてもよく、また吸気口に横型防音ガラリを排気口に縦型防音ガラリを設けるようにしてもよい。但し、縦型防音ガラリは横型防音ガラリに比べて、高価であるため、製造コストの低減の観点からは一方のみを縦型ガラリとするのが好ましい。このような場合、雨水の浸入の防止の観点から吸気側に縦型防音ガラリを設けるのが好ましい。一方、縦型防音ガラリは横型防音ガラリに比べて、圧力損失が大きいため、外気の吸排気効率の観点からは一方のみを横型ガラリとするのが好ましい。このような場合、雨水の浸入の防止の観点から排気側に横型防音ガラリを設けるのが好ましい。なぜなら、横型防音ガラリは縦型防音ガラリよりも防水性が劣るので、台風等の強風を伴う雨の場合に、エンクロージャ内に雨が浸入する問題が生じるとも考えられる。しかしながら、横型防音ガラリが排気側に設けられるので、台風等の強風を伴う雨の場合であっても、エンクロージャ内に雨が浸入することは殆どないと考えられるので、特に問題は生じないからである。
【産業上の利用可能性】
【００４５】
本発明は、発電装置の防音エンクロージャ及び防音エンクロージャの構築方法に好適に実施することができる。
【図面の簡単な説明】
【００４６】
【図１】実施の形態に係る防音エンクロージャの斜め前方から見た斜視図。
【図２】実施の形態に係る防音エンクロージャの斜め後方から見た斜視図。
【図３】実施の形態に係る防音エンクロージャの正面図。
【図４】実施の形態に係る防音エンクロージャの背面図。
【図５】実施の形態に係る防音エンクロージャの横断面図。
【図６】実施の形態に係る防音エンクロージャの縦断面図。
【図７】屋根パネルの長辺方向に平行な切断線により切断した断面図。
【図８】屋根パネルの短辺方向に平行な切断線により切断した断面図。
【図９】壁パネルの短辺方向に平行な切断線により切断した断面図。
【図１０】壁パネルの長辺方向に平行な切断線により切断した断面図。
【図１１】隣接する屋根パネルが隣接する壁パネルに支持固定されている状態を示す斜視図。
【図１２】隣接する屋根パネルが隣接する壁パネルに支持固定されている状態を示す分解斜視図。
【図１３】屋根パネルと壁パネルの連結付近の断面図。
【符号の説明】
【００４７】
１：防音エンクロージャ
１Ａ：壁面部
１Ｂ：屋根部
１ａ，１ｂ：側壁部
１ｃ：前面部
１ｄ：背面部
２：発電装置
３：発電機
４：エンジン
１０：送風機
１２：腰壁
１５：屋根パネル
１６：壁パネル
１８：吸音材
１９：吸気口
２０：縦型防音ガラリ
２１：排気口
２２：横型防音ガラリ
３０：吸音孔
３３：第２の連結部材
３３ａ：第２の連結部材３３の本体部
３３ｂ：第２の連結部材３３の張出部
４０：第１の連結部材
４０ａ：第１の連結部材４０の本体部
４０ｂ：第１の連結部材４０の張出部
４１：架台
４３：載置板
５２：連結金具
【図１】
2008144554.tif 000003
【図２】
2008144554.tif 000004
【図３】
2008144554.tif 000005
【図４】
2008144554.tif 000006
【図５】
2008144554.tif 000007
【図６】
2008144554.tif 000008
【図７】
2008144554.tif 000009
【図８】
2008144554.tif 000010
【図９】
2008144554.tif 000011
【図１０】
2008144554.tif 000012
【図１１】
2008144554.tif 000013
【図１２】
2008144554.tif 000014
【図１３】
2008144554.tif 000015